(57)【要約】【課題】換気扇の運転を、排気、吸気にかかわらず、フィルターを着け替えることなく使用できる換気扇取付装置を提供することを目的とする。【解決手段】  室内側から嵌挿される形状で、一端部に室内側フランジ部５を有し内部にフィルター３を収納する枠体２を備え、前記枠体２は壁に形成された貫通口７内に出し入れ自在とし、フィルター３を枠体２引き出し時に着脱自在にしたことにより、換気扇の運転を排気、吸気にかかわらず、フィルターを着け替えることなく使用できる構造の換気扇取付装置が得られる。【選択図】図１
2006284113.tif 000002
【特許請求の範囲】
【請求項１】
建物の壁に形成された貫通口に換気扇を取り付ける為の換気扇取付装置であって、室内側から嵌挿される形状で一端部に室内側フランジ部を有し内部にフィルターを収納する枠体を備え、前記枠体は壁に形成された貫通口内に出し入れ自在とし、前記フィルターを前記枠体引き出し時に着脱自在とした換気扇取付装置。
【請求項２】
室内側から嵌挿される外枠と、前記外枠の内周に嵌挿され一端部に換気扇を装着する中枠と、前記中枠内にフィルターとを備え、前記中枠は前記外枠内に出し入れ自在とし、前記フィルターを前記中枠引出し時に着脱自在とするとともに、前記中枠を室内側に引き出した際に、前記外枠と中枠とに、係止し合う係止片を設けた請求項１記載の換気扇取付装置。
【請求項３】
枠体は建物の壁に嵌挿固定され室内側フランジ部の一端部に換気扇を接離自在に装着できる複数個の取付器具を有する請求項１または２記載の換気扇取付装置。
【請求項４】
枠体の一側縁部に支軸を設けて室内側フランジ部を回動自在に設けた請求項１または２記載の換気扇取付装置。
【請求項５】
枠体は室内側から嵌挿される形状で、一端部に室内側フランジ部を有し、もう一端部に屋外フードを有する請求項１〜４のいずれかに記載の換気扇取付装置。
【発明の詳細な説明】
【技術分野】
【０００１】
本発明は、建物の壁に形成された貫通口に換気扇を取り付け、室内外の塵埃を吸着させるフィルターを有する換気扇取付装置に関する。
【背景技術】
【０００２】
従来、この種の換気扇取付装置は、室外からの塵埃の侵入を防止する為に、フィルターを備えたものが知られている（例えば特許文献１参照）。
【０００３】
以下、その換気扇取付装置について図１１を参照しながら説明する。
【０００４】
図に示すように、内部に換気扇１０３を収容するＬ字形の筒体１０５を備え、この筒体１０５は壁に取り付けたとき、この壁の内側に位置する内側開口部１０７と、壁の外側に位置する下向きの外側開口部１０９とを有し、内側開口部１０７は蓋１１３により開閉自在に覆われるととともに、内側開口部１０７には排気用フィルター１１１を、外側開口部１０９には吸気用フィルター１１５を着脱自在に取り付けていた。
【０００５】
以上のような構成で、排気の際は蓋１１３を開き排気用フィルター１１１を装着する。排気用フィルター１１１は締め付け金具１３３によって固定する。そのとき、吸気用フィルター１１５はカセット式フィルター１１５ｃを取り外し、フィルター取付枠１１５ｂだけを軸受１２９に挿入しておく。これにより排気された空気の流通を良くし、かつ軸受１２９の溝部分にほこり等がたまることを防止する。こうして換気扇１０３を運転させると、室内の空気はカセット式フィルター１１５ｃを通過して外側開口部１０９から室外へ排出される。このとき、仮に外部の空気が筒体１０５内を経て室内に侵入しても、フィルター１１１ｃによりほこりや汚染物質は遮断される。もちろん、室内の空気が汚れている場合は、室内の空気中のほこり、汚染物質はフィルター１１１ｃで遮断され浄化されて排気される。一方、吸気の際は、吸気用フィルター１１５を装着し、排気用フィルター１１１は、カセット式フィルター１１１ｃを取り外しフィルター取付枠１１１ｂだけを挿入しておく。これにより、外気中のほこり、汚染物質、有害ガスは遮断されていた。
【特許文献１】特開平８−２８５３３９号公報
【発明の開示】
【発明が解決しようとする課題】
【０００６】
このような従来の換気扇取付装置では、換気扇を排気または吸気で使用する際、フィルターをそれぞれ排気用、吸気用に装着しなければならず非常に不便であった。
【０００７】
本発明は上記課題を解決するもので、換気扇の運転を排気、吸気にかかわらず、フィルターを着け替えることなく使用できる換気扇取付装置を提供することを目的とする。
【課題を解決するための手段】
【０００８】
本発明の換気扇取付装置は上記目的を達成するために、建物の壁に形成された貫通口に換気扇を取り付ける為の換気扇取付装置であって、室内側から嵌挿される形状で一端部に室内側フランジ部を有し内部にフィルターを収納する枠体を備え、前記枠体は壁に形成された貫通口内に出し入れ自在とし、前記フィルターを前記枠体引き出し時に着脱自在としたものである。
【０００９】
この手段の構成により、建物の壁内に収納されることができる構造の換気扇取付装置が得られる。
【００１０】
また、本発明の換気扇取付装置は、室内側から嵌挿される外枠と、前記外枠の内周に嵌挿され一端部に換気扇を装着する中枠と、前記中枠内にフィルターとを備え、前記中枠は前記外枠内に出し入れ自在とし、前記フィルターを前記中枠引出し時に着脱自在とするとともに、前記中枠を室内側に引き出した際に、前記外枠と中枠とに、係止し合う係止片を設けたものである。
【００１１】
また、本発明の換気扇取付装置は、枠体は建物の壁に嵌挿固定され室内側フランジ部の一端部に換気扇を接離自在に装着できる複数個の取付器具を有するものである。
【００１２】
また、本発明の換気扇取付装置は、枠体の一側縁部に支軸を設けて室内側フランジ部を回動自在に設けたものである。
【００１３】
また、本発明の換気扇取付装置は、枠体は室内側から嵌挿される形状で、一端部に室内側フランジ部を有し、もう一端部に屋外フードを有するものである。
【発明の効果】
【００１４】
本発明によれば、フィルターを有する枠体を壁内に収納することで、壁からの露出をなくすことができる構造の換気扇取付装置を提供することができる。
【００１５】
また、換気扇取付装置全体を室内側に引出すことなく、フィルターの交換をすることができる。
【００１６】
また、高所における作業を安全に行うことができる。
【００１７】
また、フィルターを交換する際、換気扇を換気扇取付装置から取り外すことなく通風路内のフィルターを交換することができる。
【００１８】
また、屋外フードの設置にかかる作業を省いて高所における足場等の組立作業をなくし、施工時間を短縮することができる。
【発明を実施するための最良の形態】
【００１９】
本発明の請求項１記載の換気扇取付装置は、室内側から嵌挿される形状で一端部に室内側フランジ部を有し内部にフィルターを収納する枠体を備え、前記枠体は壁に形成された貫通口内に出し入れ自在とし、前記フィルターを前記枠体引き出し時に着脱自在としたものであり、フィルター交換時以外は、枠体は常に貫通口に収納されるという作用を有する。
【００２０】
本発明の請求項２記載の換気扇取付装置は、室内側から嵌挿される外枠と、前記外枠の内周に嵌挿され一端部に換気扇を装着する中枠と、前記中枠内にフィルターとを備え、前記中枠は前記外枠内に出し入れ自在とし、前記フィルターを前記中枠引出し時に着脱自在とするとともに、前記中枠を室内側に引き出した際に、前記外枠と中枠とに、係止し合う係止片を設けたものであり、中枠引き出し時に外枠の係止片と中枠の係止片が当接し中枠が室内側へ落下しないという作用を有する。
【００２１】
本発明の請求項３記載の換気扇取付装置は、枠体は建物の壁に嵌挿固定され室内側フランジ部の一端部に換気扇を接離自在に装着できる複数個の取付器具を有するものであり、換気扇取付装置設置後、換気扇を取り付ける作業において、取付器具にて換気扇が支持されるという作用を有する。
【００２２】
本発明の請求項４記載の換気扇取付装置は、枠体の一側縁部に支軸を設けて室内側フランジ部を回動自在に設けたものであり、換気扇を換気扇取付装置から取り外すことなく枠体内の通風路からフィルターを着脱する作用を有する。
【００２３】
本発明の請求項５記載の換気扇取付装置は、枠体は室内側から嵌挿される形状で、一端部に室内側フランジ部を有し、もう一端部に屋外フードを有するものであり、室内側から室外側にかけて連通した通風路が形成できるという作用を有する。
【００２４】
以下、本発明の実施の形態１について図１〜図４を参照しながら説明する。
【００２５】
（実施の形態１）
図１〜図４に示すように、換気扇取付装置１は室内側から嵌挿される形状で、一端部に室内側フランジ５を有し内部にフィルター３を収納する枠体２を備え、枠体２は建物の壁に形成された貫通口７内に出し入れ自在とし、フィルター３を枠体２の室内側引き出し時に着脱自在にしている。フィルター３は枠体２の側面に設けられた開口部８から着脱できる構成になっている。
【００２６】
以上のような構成で換気扇６を運転すると、時間の経過とともに、フィルター３に塵埃や小さな虫等が付着する。そして、ある一定期間（使用環境により異なる）が経過してフィルター３を交換するときには、建物の壁に形成された貫通口７から換気扇取付装置１の枠体２を室内側へ引き出し、枠体２の側面から汚れたフィルター３を取り出して、新しいフィルター（図示せず）を枠体２内に配設されたガイド４ａ、４ｂに摺動させて装着し、前記枠体２を貫通口７に戻した後、換気扇６を運転する。
【００２７】
（実施の形態２）
図５〜図６に示すように、換気扇取付装置１０は、建物の壁に形成された貫通口７に室内側から嵌挿される外枠１１と、外枠１１の内周に嵌挿され一端部に換気扇を装着する中枠１２と、中枠１２内にフィルター３とを備えている。外枠１１は一端部に内周に向かって形成された係止片１１ａを有し、中枠１２は一端部に換気扇６を装着する為のフランジ部１２ａを有し、反対側には外周に向かって形成された係止片１２ｂを有する構成となっている。
【００２８】
以上のような構成で換気扇６を運転すると、時間の経過とともにフィルター３に塵埃や小さな虫等が付着する。そして、ある一定期間（使用環境により異なる）が経過してフィルター３を交換するときには、建物の壁に形成された貫通口７から換気扇取付装置１０の中枠１２を室内側へ引き出す。この時、前記中枠１２は一端部の係止片１２ｂが外側に向けて形成されていて、建物の壁に形成された貫通口７に嵌挿された外枠１１の室内側に設けられた係止片１１ａによって、室内側に脱落することなく保持される。そして、中枠１２の側面から汚れたフィルター３を取り出し新しいフィルター（図示せず）と交換し、中枠１２を外枠１１内に戻した後、換気扇６を運転する。
【００２９】
（実施の形態３）
図７〜図８に示すように、換気扇取付装置２０は建物の壁に形成された貫通口７に室内側から嵌挿され、一端部にフランジ部２１ａを有した枠体２１と、枠体２１のフランジ部２１ａにＬ字型に屈曲した複数個の取付器具２２を配設した構成となっている。
【００３０】
以上のような構成の換気扇取付装置２０を、建物の壁に形成された貫通口７に外側から嵌挿させて壁に固定する。その後、換気扇取付装置２０に換気扇を取り付ける際、フランジ部２１ａの上部に配設された複数個のＬ字型に屈曲した取付器具２２を換気扇６のフレームに係止させ、換気扇６を安定した状態で保持し固定することができる。
【００３１】
（実施の形態４）
図９に示すように、換気扇取付装置３０は、建物の壁に形成された貫通口に室内側から嵌挿され一端部にフランジ部３１ｂを有した枠体３１において、その一側縁部３１ａに支軸を設けてフランジ部３１ｂを回動自在に設けた構成になっている。
【００３２】
以上のような構成で換気扇６を運転すると、時間の経過とともにフィルター３に塵埃や小さな虫等が付着する。そして、ある一定期間（使用環境により異なる）が経過してフィルター３を交換するときには、換気扇６を取り付けている枠体３１の一側縁部３１ａに支軸を設けたフランジ部３１ｂを回動させ、枠体３１内に配設されたフィルター３を取り出して新しいフィルター（図示せず）と交換した後、前記一側縁部３１ａを支軸としてフランジ部３１ｂを壁側へ回動させ、換気扇取付装置３０に固定することができる。
【００３３】
（実施の形態５）
図１０に示すように、換気扇取付装置４０は、室内側から嵌挿される形状で一端部に室内側フランジ部４１ａを有した枠体４１において、もう一端部に雨水浸入防止用の屋外フード４２を有し、枠体４１の通風路内にフィルター３を配設した構成になっている。
【００３４】
以上のような構成の換気扇取付装置４０を、建物の壁に形成された貫通口７に室内側から嵌挿する。そして、換気扇取付装置４０を壁に固定すると、換気扇６を換気扇取付装置４０に固定し屋外フード４２を有する通風路４３を形成することができる。
【産業上の利用可能性】
【００３５】
本発明の換気扇取付装置は、建物の室内側の壁に装着され、構造が簡単でフィルターの交換が容易にできる換気扇取付装置として有用である。
【図面の簡単な説明】
【００３６】
【図１】本発明の実施の形態１の換気扇取付装置の構成を示す断面図
【図２】本発明の実施の形態１の換気扇取付装置の着脱時を示す断面図
【図３】本発明の実施の形態１の換気扇取付装置におけるフィルター装着時の斜視図
【図４】本発明の実施の形態１の換気扇取付装置におけるフィルター脱却時の斜視図
【図５】本発明の実施の形態２の換気扇取付装置の構成を示す断面図
【図６】本発明の実施の形態２の換気扇取付装置の着脱時を示す断面図
【図７】本発明の実施の形態３の換気扇取付装置の構成を示す断面図
【図８】本発明の実施の形態３の換気扇取付装置の着脱時を示す断面図
【図９】本発明の実施の形態４の換気扇取付装置の構成を示す断面図
【図１０】本発明の実施の形態５の換気扇取付装置の構成を示す断面図
【図１１】従来の換気扇取付装置の構成を示す断面図
【符号の説明】
【００３７】
１      換気扇取付装置
２      枠体
３      フィルター
５      室内側フランジ部
１０    換気扇取付装置
１１    外枠
１１ａ  係止片
１２    中枠
１２ａ  係止片
２０    換気扇取付装置
２１ａ  室内側フランジ部
２２    取付器具
３０    換気扇取付装置
３１ａ  一側縁部
４１    枠体
４１ａ  室内側フランジ部
４２    屋外フード
【図１】
2006284113.tif 000003
【図２】
2006284113.tif 000004
【図３】
2006284113.tif 000005
【図４】
2006284113.tif 000006
【図５】
2006284113.tif 000007
【図６】
2006284113.tif 000008
【図７】
2006284113.tif 000009
【図８】
2006284113.tif 000010
【図９】
2006284113.tif 000011
【図１０】
2006284113.tif 000012
【図１１】
2006284113.tif 000013